(57)【要約】【課題】ワークの前後方向及び左右方向の位置決めを迅速かつ正確に行うことのできるバックゲージ装置を提供する。【解決手段】プレスブレーキにおけるバックゲージ装置であって、プレスブレーキにおける折曲げ加工位置３に対して前後方向へ移動位置決め自在に備えた左右方向のストレッチ５に、一対のワーク突当部材７Ｌ，７Ｒを個別に左右方向へ移動位置決め自在に備え、上記一対のワーク突当部材７Ｌ，７Ｒの少なくとも一方に、ワークの前後方向の位置決めを行う前後方向位置決め部９とワークＷの左右方向の位置決めを行う左右方向位置決め部１１とを備えたワーク角位置決め部１３を前後方向に複数段に備え、前記一対のワーク突当部材７Ｌ，７Ｒにおける他方のワーク突当部材７Ｒに、ワークＷの左右方向への移動を規制するワーク移動規制部１７を備え、前記ワーク角位置決め部１３に対応した位置に、発光部材１５を備えている。【選択図】図３
2015145022.tif 000002
【特許請求の範囲】
【請求項１】
プレスブレーキにおけるバックゲージ装置であって、プレスブレーキにおける折曲げ加工位置に対して前後方向へ移動位置決め自在に備えた左右方向のストレッチに、一対のワーク突当部材を個別に左右方向へ移動位置決め自在に備え、上記一対のワーク突当部材の少なくとも一方に、ワークの前後方向の位置決めを行う前後方向位置決め部とワークの左右方向の位置決めを行う左右方向位置決め部とを備えたワーク角位置決め部を前後方向に複数段に備え、前記一対のワーク突当部材における他方のワーク突当部材に、ワークの左右方向への移動を規制するワーク移動規制部を備えていることを特徴とするバックゲージ装置。
【請求項２】
請求項１に記載のバックゲージ装置において、前記ワーク角位置決め部に対応した位置に、発光部材を備えていることを特徴とするバックゲージ装置。
【請求項３】
請求項１又は２に記載のバックゲージ装置において、前記他方のワーク突当部材におけるワーク移動規制部は、前端側が一方の突当部材から離反する方向に傾斜した傾斜面又は前記一方のワーク位置決め部と対称な構成であることを特徴とするバックゲージ装置。
【請求項４】
請求項１，２又は３に記載のバックゲージ装置を用いてのワーク位置決め方法であって、一方のワーク突当部材に備えたワーク角位置決め部にワークの一方の角部を位置決めした後、ワークの他方の角部を他方のワーク突当部材におけるワーク移動規制部に当接してワークの位置決めを行うことを特徴とするワーク位置決め方法。
【発明の詳細な説明】
【技術分野】
【０００１】
本発明は、プレスブレーキにおけるバックゲージ装置に係り、さらに詳細には、折曲げ加工を行う板状のワークの前後方向及び左右方向の位置決めを行うことのできるバックゲージ装置に関する。
【背景技術】
【０００２】
プレスブレーキにおけるバックゲージ装置は、プレスブレーキにおける折曲げ加工位置に対して板状のワークの折曲げ加工位置を位置決めするために使用されるものである。よく知られているように、バックゲージ装置は、左右方向に長いストレッチが、プレスブレーキにおける折曲げ加工位置の後方位置に前後方向に移動位置決め自在に備えられている。そして、このストレッチには、板状のワークの後端部を突き当て前後方向の位置決めを行う一対のワーク突当部材が左右方向へ移動位置決め自在に備えられている。
【０００３】
上記構成において、ストレッチを前後方向に移動位置決めすると共に、板状のワークにおける左右方向の幅寸法に対応して一対のワーク突当部材の位置決めを行った後、ワークの後端部を突き当てることにより、ワークにおける折曲げ加工位置がプレスブレーキにおける折曲げ加工位置（金型の位置）に一致して位置決めされることになる。前記構成においては、ワークの前後方向の位置決めを行うことができるものの、ワークの左右方向の位置決めを正確に行うことは難しいものであった。
【０００４】
そこで、プレスブレーキにおける折曲げ加工位置に対してワークの前後方向及び左右方向の位置決めを行うことのできるバックゲージ装置が提案されている（例えば特許文献１，２参照）。
【先行技術文献】
【特許文献】
【０００５】
【特許文献１】特開平１０−１２８４４９号公報
【特許文献２】特開平１１−３４２４２４号公報
【発明の概要】
【発明が解決しようとする課題】
【０００６】
前記特許文献１に記載のバックゲージ装置は、ワークの後端部を突き当てる突当部材の左右方向の側面に、ワークの左右方向の位置決めを行うサイドストッパを前方向へ突出自在に備えた構成である。したがって、バックゲージ装置によってワークの前後方向及び左右方向の位置決めを行うことができることになる。しかし、前記構成においては、ワークの幅寸法に対応して左右一対の突当部材を予め位置決めすると、ワークの位置決めを行うとき、ワークの左右両側は左右のサイドストッパと間に正確に入り込むとは限らず、ワークとサイドストッパとが干渉することがあり、両サイドストッパの間にワークを正確に位置決めすることが難しいものである。
【０００７】
そこで、例えば一方の突当部材を他方の突当部材から離反する方向へ移動した状態に保持し、突当部材にワークの後端部を当接した状態において、一方の突当部材を他方の突当部材に接近する方向へ移動し、両方のサイドストッパによってワークを挟持する等の操作を必要とすることがある。すなわち、バックゲージ装置によってワークの前後方向及び左右方向の位置決めを迅速にかつ正確に行うにはさらなる改良が望まれている。
【０００８】
前記特許文献２に記載の構成は、バックゲージ装置における左右一対の突当部材の上面に、ワークの後端部を突き当てる位置決め用ピンと、ワークの左右方向の位置決めを行うサイドゲージ４を上面に対して出没自在に備えた構成である。したがって、ワークの後端部側を左右一対の突当部材によって支持することができ、ワークの撓みを抑制することができるものの、前記特許文献１と同様の問題を有するものである。
【課題を解決するための手段】
【０００９】
本発明は、前述のごとき問題に鑑みてなされたもので、プレスブレーキにおけるバックゲージ装置であって、プレスブレーキにおける折曲げ加工位置に対して前後方向へ移動位置決め自在に備えた左右方向のストレッチに、一対のワーク突当部材を個別に左右方向へ移動位置決め自在に備え、上記一対のワーク突当部材の少なくとも一方に、ワークの前後方向の位置決めを行う前後方向位置決め部とワークの左右方向の位置決めを行う左右方向位置決め部とを備えたワーク角位置決め部を前後方向に複数段に備え、前記一対のワーク突当部材における他方のワーク突当部材に、ワークの左右方向への移動を規制するワーク移動規制部を備えていることを特徴とするものである。
【００１０】
また、前記バックゲージ装置において、前記ワーク角位置決め部に対応した位置に、発光部材を備えていることを特徴とするものである。
【００１１】
また、前記バックゲージ装置において、前記他方のワーク突当部材におけるワーク移動規制部は、前端側が一方の突当部材から離反する方向に傾斜した傾斜面又は前記一方のワーク位置決め部と対称な構成であることを特徴とするものである。
【００１２】
また、前記バックゲージ装置を用いてのワーク位置決め方法であって、一方のワーク突当部材に備えたワーク角位置決め部にワークの一方の角部を位置決めした後、ワークの他方の角部を他方のワーク突当部材におけるワーク移動規制部に当接してワークの位置決めを行うことを特徴とするものである。
【発明の効果】
【００１３】
本発明によれば、バックゲージ装置における一方のワーク突当部材に備えたワーク角位置決め部材にワークの一方の角部の位置決めを行った後、他方のワーク突当部材に備えたワーク移動規制部によってワークの他方の角部の移動を規制するものであるから、バックゲージ装置を用いてワークの前後方向及び左右方向の位置決めを迅速かつ正確に行い得るものである。
【図面の簡単な説明】
【００１４】
【図１】本発明の実施形態に係るバックゲージ装置の構成を概念的、概略的に示した平面説明図である。
【図２】一対のワーク突当部材の構成を概念的、概略的に示す斜視説明図である。
【図３】ワーク突当部材に対してワークの位置決めを行う動作の説明図である。
【図４】ワーク突当部材に対してワークの位置決めを行う動作の説明図である。
【発明を実施するための形態】
【００１５】
以下、図面を用いて本発明の実施形態について説明するに、プレスブレーキは、既によく知られた構成であるが、念のために、概念的、概略的に説明すると、プレスブレーキはＣ形状の左右のサイドフレームを備えている。そして、両サイドフレームの前側下部には左右方向に長い下部テーブルの左右両側が支持されており、両サイドフレームの前側上部には、前記下部テーブルに対向した上部テーブルの左右両側が支持されている。前記下部テーブル上にはワークの折曲げ加工を行うダイが着脱交換可能に備えられ、前記上部テーブルには上記ダイと協働してワークの折曲げ加工を行うパンチが着脱交換可能に備えられている。前記パンチ、ダイを係合してワークの折曲げ加工を行うために、前記上下のテーブルの一方は上下動自在なラムに構成してある。
【００１６】
前記パンチ、ダイによって折曲げ加工される板状のワークの前後方向の位置決めを行うために、前記下部テーブルの後方にバックゲージ装置が備えられている。このバックゲージ装置の全体的構成も既によく知られた構成である。したがって、本実施形態に係るバックゲージ装置については主要な構成のみについて概念的、概略的に説明することとする。
【００１７】
図１を参照するに、本実施形態に係るバックゲージ装置１は、プレスブレーキにおける折曲げ加工位置（上下の金型が係合してワークの折曲げ加工を行う加工位置：上下の金型の係合位置）３の後方位置に備えられている。上記バックゲージ装置１は、一般的なバックゲージ装置と同様に、左右方向（Ｘ軸方向）に長いストレッチ５を前後方向（Ｙ軸方向）に移動位置決め自在に備えられている。そして、上記ストレッチ５には、左右一対のワーク突当部材７Ｌ，７Ｒが左右方向へ個別に移動位置決め自在に備えられている。すなわち、上記ワーク突当部材７Ｌ，７Ｒには、例えばラック・ピニオン機構におけるピニオン及びサーボモータが備えられており、このサーボモータを制御することにより、各ワーク突当部材７Ｌ，７Ｒを個別に左右方向へ移動位置決めすることができるものである。
【００１８】
前記ワーク突当部材７Ｌ，７Ｒにおける適宜一方（本実施形態においてはワーク突当部材７Ｌ）には、図２（Ａ）に示すように、ワークＷの前後方向の位置決めを行う前後方向位置決め部（前後方向位置決め面）９とワークＷの左右方向の位置決めを行う左右方向位置決め部（左右方向位置決め面）１１を備えた複数のワーク角位置決め部１３を前後方向に複数段備えている。そして、上記各ワーク角位置決め部１３に対応した位置であって、ワークＷの当接位置（ダイの上面に等しい高さ位置）よりも低い位置には、例えばＬＥＤなどのごとき発光部材１５が備えられている。
【００１９】
前記ワーク突当部材７Ｌ，７Ｒにおける他方のワーク突当部材７Ｒにおいて、前記一方のワーク突当部材７Ｌにおける前記ワーク角位置決め部１３と左右方向に対向した部分は、ワークＷの左右方向への移動を規制するワーク移動規制部１７に形成してある。より詳細には、前記ワーク移動規制部１７は、ワーク突当部材７Ｒにおいて前記ワーク突当部材７Ｌと対向した対向面を、前端側がワーク突当部材７Ｌから離反する方向に傾斜した傾斜面に形成してある。
【００２０】
以上のごとき構成において、プレスブレーキにおける折曲げ加工位置３に対してワークＷを前後左右方向へ位置決めするには、ワークＷにおける一方の角部を当接するワーク角位置決め部１３Ａ（図３参照）の発光部材１５Ａ及び当該発光部材１５Ａの前側に位置する発光部材１５Ｂを発光する。そして、前記ストレッチ５を前後方向に移動して、前記ワーク角位置決め部１３Ａの位置を前後方向に位置決めする。また、一方の前記ワーク突当部材７Ｌを左右方向に移動して、当該ワーク突当部材７Ｌにおける前記ワーク角位置決め部１３Ａを、ワークＷの左辺の位置決めを行う位置に位置決めする。他方のワーク突当部材７Ｒは、ワークＷの左右方向の幅寸法に対応して、一方のワーク突当部材７Ｌのワーク角位置決め部１３Ａとの左右方向の間隔寸法がワークの幅寸法に等しくなる位置に位置決めする（図４（Ａ）参照）。
【００２１】
その後、図３（Ａ）に示すように、ワークＷにおける左後の角部ＣＬが右後の角部ＣＲよりも後側に位置するように前後に傾斜した状態でもって一方の角部ＣＬを、前記ワーク角位置決め部１３Ａに当接し位置決めする。この際、ワーク角位置決め部１３Ａの発光部材１５Ａと、前側の発光部材１５Ｂとの間にワークＷの角部ＣＬを突き当てるように位置決めすることにより、ワークＷの一方の角部ＣＬがワーク角位置決め部１３Ａに位置決めされるものである（図４（Ｂ）参照）。
【００２２】
そして、ワークＷの角部ＣＬがワーク角位置決め部１３Ａに位置決めされると、当該ワーク位置決め部１３Ａにおける発光部材１５Ａの上方向への照射が遮光される。したがって、前記発光部材１５Ａの遮光を確認することにより、前記ワーク位置決め部１３Ａに対してワークＷの一方の角部ＣＬが位置決めされたか否かを確認することができる。その後、ワークＷの前記傾斜を修正すべくワークＷを反時計回り方向に回動して、ワークＷの他方の角部ＣＲをワーク突当部材７Ｒのワーク移動規制部１７に当接することにより、ワークＷは、プレスブレーキの折曲げ加工位置３に対して前後方向及び左右方向に位置決めされることになる（図４（Ｃ）参照）。
【００２３】
以上のごとき説明から理解されるように、本実施形態によれば、前後左右方向に予め位置決めされた一対のワーク突当部材７Ｌ，７ＲにワークＷを当接してワークの前後左右方向の位置決めを行うとき、一方のワーク突当部材７Ｌに備えたワーク角位置決め部１３にワークＷの一方の角部ＣＬを当接位置決めした後、他方のワーク突当部材７Ｒに備えたワーク移動規制部（傾斜部）１７に対してワークＷの他方の角部ＣＲを当接するように、ワークＷを回動して位置決めするものである。したがって、予め位置決めした状態にある一対のワーク突当部材７Ｌ，７Ｒに対してワークＷの左右の角部ＣＬ，ＣＲを当接しての位置決めを迅速かつ正確に行うことができるものである。
【００２４】
また、前記実施形態においては、ワーク角位置決め部１３は前後方向に複数段備えられているから、所望位置のワーク角位置決め部１３を選択することができ、汎用性が向上するものである。
【００２５】
なお、本発明は、前述したごとき実施形態に限ることなく、適宜の変更を行うことにより、その他の形態でもって実施可能なものである。すなわち、前記ワーク突当部材７Ｒにおけるワーク移動規制部１７は前述したごとき傾斜面に限ることなく、前後方向（Ｙ軸方向）に平行な平面として、ワークＷの側部を規制する構成とすることも可能である。また、前記ワーク移動規制部１７の構成としては、ワーク突当部材７Ｌと対称な構成とすることも可能である。
【符号の説明】
【００２６】
１  バックゲージ装置
３  折曲げ加工位置
５  ストレッチ
７Ｌ，７Ｒ  ワーク突当部材
９  前後方向位置決め部（前後方向位置決め面）
１１  左右方向位置決め部（左右方向位置決め面）
１３  ワーク角位置決め部
１５  発光部材
１７  ワーク移動規制部（傾斜部）
【図１】
2015145022.tif 000003
【図２】
2015145022.tif 000004
【図３】
2015145022.tif 000005
【図４】
2015145022.tif 000006